(57)【要約】      （修正有）【課題】多種多様な機能を備える多機能イヤホンケーブルを提供する。【解決手段】接続コード１０と、制御装置２０と、電源装置３０と、からなる。接続コード１０にはノイズキャンセリングマイク１２が設けられ、制御装置２０の制御回路２１にはＡＮＣモジュール（アクティブノイズキャンセリングモジュール）、聴力アンプ、メモリーモジュール、ワイヤレス通信モジュール、ワイヤレス充電モジュールが設けられる。イヤホンに連結すると、イヤホンの実用性が向上する。【選択図】図２
0003209356.tif 000002
【実用新案登録請求の範囲】
【請求項１】
接続コードと、制御装置と、電源装置と、からなる多機能イヤホンケーブルであって、
前記接続コードの両端はそれぞれ音声信号接続部を備え、前記音声信号接続部にはノイズキャンセリングマイクが設けられ、
前記制御装置は、前記接続コードに設けられるとともに、制御回路を備え、前記制御回路にはノイズキャンセリングマイクと連結したＡＮＣモジュールが設けられ、前記制御回路には、音声信号を拡大するための聴力アンプと、メモリーモジュールと、ワイヤレス通信モジュールと、ワイヤレス充電モジュールとが設けられ、
前記電源装置は、前記接続コードに設けられるとともに、前記制御回路に接続されることを特徴とする多機能イヤホンケーブル。
【請求項２】
前記制御装置の両側の筐体の継ぎ目にそれぞれ防水体が設けられ、前記電源装置の両側の筐体の継ぎ目には密封し防水するための密封体がそれぞれ設けられることを特徴とする、請求項１に記載の多機能イヤホンケーブル。
【請求項３】
前記制御装置は、前記制御回路に接続されたインターフェースを含むことを特徴とする、請求項１に記載の多機能イヤホンケーブル。
【請求項４】
前記制御回路には、発光体が設けられ、前記発光体の外面に発光カバーが設けられることを特徴とする、請求項１に記載の多機能イヤホンケーブル。
【請求項５】
前記ワイヤレス通信モジュールは、Ｗｉ−Ｆｉ、４Ｇ、５Ｇ、ブルートゥース（登録商標）、ＲＦ、ＮＦＣのうちのいずれか一つであることを特徴とする、請求項１に記載の多機能イヤホンケーブル。
【請求項６】
前記ワイヤレス充電モジュールはワイヤレス充電コイルであることを特徴とする、請求項１に記載の多機能イヤホンケーブル。
【請求項７】
前記電源装置は電池であり、前記電池は前記制御装置内に設けられるか、或いは、前記電池は音声信号接続部内に設けられるかのいずれか一つであることを特徴とする、請求項１に記載の多機能イヤホンケーブル。
【請求項８】
前記多機能イヤホンケーブルはスピーカー台座と組み合わされ、前記スピーカー台座の外面に取付溝が設けられ、前記取付溝の両側にはそれぞれ音声信号接続ポートが設けられ、前記多機能イヤホンケーブルは、前記取付溝に取り付けられ、前記音声信号接続部は前記音声信号接続ポートに接続され、前記スピーカー台座内には回路基板が設けられ、前記回路基板はモバイルバッテリーモジュールとワイヤレスセンサー充電モジュールに連結されることを特徴とする、請求項１に記載の多機能イヤホンケーブル。
【請求項９】
前記多機能イヤホンケーブルはスマートネックバンドと組み合わされ、前記スマートネックバンドの外面に切り込みが設けられ、前記切り込みの中には二つの誘導コイルが設けられ、前記誘導コイルと二つの生体センサーは回路基板で連結され、前記回路基板は充電コイルを備え、前記多機能イヤホンケーブルは前記切り込みに取り付けられ、前記ワイヤレス充電モジュールと前記誘導コイルは対応することを特徴とする、請求項１に記載の多機能イヤホンケーブル。
【考案の詳細な説明】
【技術分野】
【０００１】
本考案はイヤホンのケーブルに関し、特に、多様な機能を備えるイヤホンケーブルに関する。
【背景技術】
【０００２】
現在、イヤホンは単独でイヤホンの接続コードからとり外して交換することができず、損傷時にはイヤホン全体を取り換えなければならないため非常に無駄である。また、使用経験から分かる通り、イヤホンと接続コードを溶接している部分は、使用者が気づかずに引っ張りやすい場所であるため、音声再生部の配線が切れてイヤホンが壊れてしまうことが非常に多い。しかも、音声再生部が損傷してしまえば、イヤホン全体を捨てるしかなく、故障した音声再生部または接続コードを単独で交換することはできないため、現在の環境保護意識に反し、改善が極めて必要とされている。
【０００３】
さらに、現在のワイヤレスまたはコードにつないで聴くことができる、或いはコードにつなぐかワイヤレスで充電できる高級両耳イヤホンは、コードのみでイヤホンと再生装置に接続されている従来のイヤホンに比べて、イヤホンにより精密な電子部品や電池、回路を更に多く設置する必要があり、且つ再生機器も引っ張って損傷してしまいやすい場所であるのに、単独で取り換えることができず、イヤホン全体を捨てるほかないため、更に地球の資源の無駄使いを助長し、不必要なリサイクル処理コストが増えてしまう。
【考案の概要】
【考案が解決しようとする課題】
【０００４】
本考案は、制御装置に設けられるＡＮＣモジュール、聴力アンプ、メモリーモジュール、ワイヤレス通信モジュール、ワイヤレス充電モジュールによって、イヤホンの実用性を向上させた多機能イヤホンケーブルを提供することを目的とする。
【課題を解決するための手段】
【０００５】
上述の目的を達成するために、本考案は接続コードと、制御装置と、電源装置と、からなる。そのうち、前記接続コードの両端は音声信号接続部をそれぞれ備え、前記音声信号接続部にはノイズキャンセリングマイクが設けられる。前記制御装置は、前記接続コードに設けられ、制御回路を備える。前記制御回路は、前記ノイズキャンセリングマイクに接続されたＡＮＣモジュールを備え、前記制御回路は、音声信号を拡大するための聴力アンプ、及びメモリーモジュール、ワイヤレス通信モジュール、ワイヤレス充電モジュールを備える。前記電源装置は、前記接続コードに設けられ、前記制御回路に接続される。
【考案の効果】
【０００６】
１、ＡＮＣモジュールにより、一般の有線イヤホンを、ワイヤレスアクティブノイズキャンセリングイヤホンにすることができる。
【０００７】
２、聴力アンプをＡＮＣモジュールと組み合わせることにより、一般の有線イヤホンを補聴器にすることができる。
【０００８】
３、メモリーモジュールによって、音楽等のマルチメディアファイルを保存することができるとともに、Ｗｉ−Ｆｉや４Ｇ、５Ｇ、ブルートゥース（登録商標）、ＲＦ、ＮＦＣといったワイヤレス通信モジュールを通してスマートデバイス（例えば携帯電話）に同期したり、ホストコンピューターのマルチメディアファイルを保存して再生リストを記憶したりすることができ、携帯電話やホストコンピューターがオフライン時にも単独で音楽を再生することができ、再生機器として使用することができる。
【０００９】
４、ワイヤレス通信モジュールにより、ＵＳＢ等の充電ポートの開口部が不要なため防水機能が向上する。
【００１０】
５、ワイヤレス通信モジュールは各種ワイヤレス技術にすることができる。
【００１１】
６、スピーカーやスマートネックバンドにつなぐことでその実用機能を高めることができる。
【図面の簡単な説明】
【００１２】
【図１】本考案の斜視図である。
【図２】本考案の斜視分解図である。
【図３】本考案の構造を示した第二斜視図である。
【図４】本考案の構造を示した第二斜視分解図である。
【図５】本考案における構造を部分的に示した第三斜視分解図である。
【図６】本考案におけるイヤホンにつないだ使用例を示した図一である。
【図７】本考案におけるイヤホンにつないだ実施例を示した図二である。
【図８】本考案におけるワイヤレス充電台座の使用例を示した図である。
【図９】本考案におけるスピーカー台座を組み合わせた図である。
【図１０】本考案のスピーカー台座の斜視分解図である。
【図１１】本考案にスピーカー台座を組み合わせた図である。
【図１２】本考案のスマートネックバンドの斜視図である。
【図１３】本考案にスマートネックバンドを組み合わせた図である。
【図１４】本考案のスマートネックバンドの斜視分解図である。
【図１５】本考案の制御ブロック図である。
【図１６】本考案のスピーカー台座の制御ブロック図である。
【図１７】本考案のスマートネックバンドの制御ブロック図である。
【考案を実施するための形態】
【００１３】
図１、図２、及び図１５を参照する。本考案は、接続コード１０と、制御装置２０と、電源装置３０と、からなる。以下で詳述する。
【００１４】
接続コード１０の両端には音声信号接続部１１がそれぞれ設けられ、音声信号接続部１１にはノイズキャンセリングマイクが設けられる。
【００１５】
制御装置２０は、接続コード１０に設けられるとともに、制御回路２１を備える。制御回路２１には、ノイズキャンセリングマイク１２に接続されたＡＮＣ（Ａｃｔｉｖｅ  Ｎｏｉｓｅ  Ｃａｎｃｅｌｌｉｎｇ、アクティブノイズキャンセリング）モジュールが設けられ、制御回路２１には、音声信号を拡大するための聴力アンプ（Ｈｅａｒｉｎｇ  ａｍｐｌｉｆｉｅｒ  ）２３と、メモリーモジュール２４と、ワイヤレス通信モジュール２５と、ワイヤレス充電モジュール２６とが設けられる。
【００１６】
電源装置３０は、接続コード１０に設けられるとともに、制御回路２０に接続される。電源装置３０は、電池３１を備える。
【００１７】
実施例において、制御装置２０の両端の筐体の継ぎ目には防水体２７がそれぞれ設けられ、電源装置３０の両端の筐体の継ぎ目には密封し防水するための密封体３２が設けられる。  
【００１８】
実施例において、制御装置２０は、制御回路２１に接続された制御機能のための制御インターフェース２８（例えば、スイッチボタン）を備える。
【００１９】
実施例において、制御回路２１には発光体２９が設けられるとともに、発光体２９の外部には、発光カバー２９１が設けられ、それにより、発光して機能の作動状態を示すことができる。
【００２０】
実施例において、ワイヤレス通信モジュール２５は、Ｗｉ−Ｆｉ、４Ｇ、５Ｇ、ブルートゥース（登録商標）、ＲＦ、ＮＦＣのうちの一つにすることができる。
【００２１】
実施例において、ワイヤレス充電モジュール２６はワイヤレス充電コイルにすることができる。
【００２２】
図３と図４を参照する。実施例において、電源装置３０は電池にすることができ、前記電池は制御装置２０の中、または、図５のように音声信号接続部１１の中に設けることで、外観を良くし、操作しやすくすることができる。
【００２３】
上記で、本考案の各部材、及び組み合わせ方を紹介したが、引き続き本考案を使用した際の実施例や特徴、効果を以下に示す。
【００２４】
図６を参照する。本考案は、音声信号接続部１１によって、取り外し可能なカナル型イヤホン４０を連結することができる。
【００２５】
図７を参照する。本考案は、音声信号接続部１１によって、取り外し可能なヘッドホン５０を連結することができる。
【００２６】
図８を参照する。本考案に対応するワイヤレス充電台６０を制御装置２０に直接近づけると、制御装置２０のワイヤレス充電モジュール２６により磁気と電気が生じ、本考案が充電される。
【００２７】
本考案で生じる有利な効果は以下の通りである。
【００２８】
１、ＡＮＣモジュール２２によって、一般の有線イヤホンからワイヤレスアクティブノイズキャンセリングイヤホンに変換できる。
【００２９】
２、聴力アンプ２３とＡＮＣモジュール２２によって、一般の有線イヤホンから補聴器に変換できる。
【００３０】
３、メモリーモジュールにより、音楽等のマルチメディアファイルを保存することができるとともに、ワイヤレス通信モジュールを通してスマートデバイス（例えば携帯電話）に同期したり、ホストコンピューターのマルチメディアファイルを保存して再生リストを記憶したりすることができ、携帯電話やホストコンピューターがオフライン時にも単独で音楽を再生することができ、再生機器として使用することができる。
【００３１】
４、ワイヤレス通信モジュールにより、ＵＳＢ等の充電ポートの開口部が不要なため防水機能が向上する。
【００３２】
５、ワイヤレス通信モジュールは、各種ワイヤレス技術にすることができる。
【００３３】
図９、図１０、図１１、図１６に示すように、本考案は対応するスピーカー台座７０と組み合わせることができる。スピーカー台座７０の外面に取付溝７１が設けられ、取付溝７１の両端にはそれぞれ本考案の音声信号接続ポート７２が設けられ、それにより本考案を取付溝７１に取り付けることができる。音声信号接続部１１は、音声信号接続ポート７２に接続され、音源が転送される。
【００３４】
スピーカー台座７０内には回路基板７３が設けられ、回路基板７３はモバイルバッテリーモジュールとワイヤレスセンサー充電モジュールに連結される。
【００３５】
以上によって生じる有益な効果は以下の通りである。
【００３６】
１、スピーカー台座７０と本考案を組み合わせると、ワイヤレススピーカーになる。
【００３７】
２、スピーカー台座７０自体がワイヤレス充電台座であり、本考案を充電することができる。
【００３８】
３、スピーカー台座７０自体がモバイルバッテリーにもなり、携帯電話などスマートデバイスの充電に使うことができる。
【００３９】
図１２、図１３、図１４、図１７に示すように、本考案は対応するスマートネックバンド８０と組み合わせることができる。スマートネックバンド８０の外面に切り込み８１が設けられ、切り込み８１内には二本の誘導コイル８２が設けられ、誘導コイル８２と二本の生体センサー８３は、回路基板８４に連結される。回路基板８４は、充電コイルを備える。本考案を切り込み８１に取り付けることで、本考案のワイヤレス充電モジュール２６と誘導コイル８２は対応する。
【００４０】
以上によって生じる有益な効果は以下の通りである。
【００４１】
１、本考案と連結した時、スマートウェアネックバンドになり、心拍数、カロリー等の重要な生体データを検出することができるとともに、携帯電話等のスマートデバイスとつないで利用することができる。
【００４２】
２、スマートネックバンド８０をワイヤレス充電台座にして、本考案を充電することができる。
【符号の説明】
【００４３】
１０    接続コード
１１    音声信号接続部
１２    ノイズキャンセリングマイク
２０    制御装置
２１    制御回路
２２    ＡＮＣモジュール
２３    聽力アンプ
２４    メモリーモジュール
２５    ワイヤレス通信モジュール
２６    ワイヤレス充電モジュール
２７    防水体
２８    インターフェース
２９    発光体
２９１  発光カバー
３０    電源装置
３１    電池
３２    密封体
４０    カナル型イヤホン
５０    ヘッドホン
６０    ワイヤレス充電台
７０    スピーカー台座
７１    取付溝
７２    音声信号接続ポート
７３    回路基板
８０    スマートネックバンド
８１    切り込み
８２    誘導コイル
８３    生体センサー
８４    回路基板
【図１】
0003209356.tif 000003
【図２】
0003209356.tif 000004
【図３】
0003209356.tif 000005
【図４】
0003209356.tif 000006
【図５】
0003209356.tif 000007
【図６】
0003209356.tif 000008
【図７】
0003209356.tif 000009
【図８】
0003209356.tif 000010
【図９】
0003209356.tif 000011
【図１０】
0003209356.tif 000012
【図１１】
0003209356.tif 000013
【図１２】
0003209356.tif 000014
【図１３】
0003209356.tif 000015
【図１４】
0003209356.tif 000016
【図１５】
0003209356.tif 000017
【図１６】
0003209356.tif 000018
【図１７】
0003209356.tif 000019